(57)【要約】【課題】パイロットシンボルをビット列の再生に直接寄与させる。【解決手段】送信装置は、直交位相振幅変調方式で送信されるデータシンボルの誤り検出符号を生成する。送信装置は、パイロットシンボルの振幅を、誤り検出符号を振幅偏移変調することで得られる振幅に変換する。送信装置は、データシンボル及びパイロットシンボルを受信装置に送信する。受信装置は、送信装置からデータシンボル及びパイロットシンボルを受信する。受信装置は、受信したパイロットシンボルを振幅偏移復調することで誤り検出符号を再生する。受信装置は、再生した誤り検出符号に基づいて、受信したデータシンボルの誤りを検出する。【選択図】図１
2016015625.tif 000002
【特許請求の範囲】
【請求項１】
送信装置と受信装置とを備え、
前記送信装置は、
直交位相振幅変調方式で送信されるデータシンボルの誤り検出符号を生成する符号生成部と、
所定の位相を有するパイロットシンボルの振幅を、前記符号生成部が生成した誤り検出符号を振幅偏移変調することで得られる振幅に変換する振幅変換部と、
前記データシンボル及び前記パイロットシンボルを前記受信装置に送信する送信部と
を備え、
前記受信装置は、
前記送信装置から前記データシンボル及び前記パイロットシンボルを受信する受信部と、
前記受信部が受信したパイロットシンボルを振幅偏移復調することで誤り検出符号を再生する符号再生部と、
前記符号再生部が再生した誤り検出符号に基づいて、前記受信部が受信したデータシンボルの誤りを検出する誤り検出部と
を備える通信システム。
【請求項２】
直交位相振幅変調方式で送信されるデータシンボルの誤り検出符号を生成する符号生成部と、
所定の位相を有するパイロットシンボルの振幅を、前記符号生成部が生成した誤り検出符号を振幅偏移変調することで得られる振幅に変換する振幅変換部と
を備える送信装置。
【請求項３】
前記振幅変換部は、複数のパイロットシンボルの振幅を、それぞれ前記符号生成部が生成した誤り検出符号を所定ビット数ごとに振幅偏移変調することで得られる振幅に変換する
請求項２に記載の送信装置。
【請求項４】
所定の位相を有するパイロットシンボルを振幅偏移復調することでデータシンボルの誤り検出符号を再生する符号再生部と、
前記符号再生部が再生した誤り検出符号に基づいて、前記データシンボルの誤りを検出する誤り検出部と
を備える受信装置。
【請求項５】
前記符号再生部は、複数のパイロットシンボルを振幅偏移復調して得られたデータ列から、前記データシンボルの誤り検出符号を再生する
請求項４に記載の受信装置。
【請求項６】
直交位相振幅変調方式で送信されるデータシンボルの誤り検出符号を生成するステップと、
所定の位相を有するパイロットシンボルの振幅を、前記生成した誤り検出符号を振幅偏移変調することで得られる振幅に変換するステップと、
前記データシンボル及び前記パイロットシンボルを送信するステップと
前記データシンボル及び前記パイロットシンボルを受信するステップと、
前記受信したパイロットシンボルを振幅偏移復調することで誤り検出符号を再生するステップと、
前記再生した誤り検出符号に基づいて、前記受信したデータシンボルの誤りを検出するステップと
を有する通信方法。
【請求項７】
直交位相振幅変調方式で送信されるデータシンボルの誤り検出符号を生成するステップと、
所定の位相を有するパイロットシンボルの振幅を、前記生成した誤り検出符号を振幅偏移変調することで得られる振幅に変換するステップと
を有する信号生成方法。
【請求項８】
所定の位相を有するパイロットシンボルを振幅偏移復調することでデータシンボルの誤り検出符号を再生するステップと、
前記再生した誤り検出符号に基づいて、前記データシンボルの誤りを検出するステップと
を有する信号復調方法。
【請求項９】
コンピュータを、
直交位相振幅変調方式で送信されるデータシンボルの誤り検出符号を生成する符号生成部、
所定の位相を有するパイロットシンボルの振幅を、前記符号生成部が生成した誤り検出符号を振幅偏移変調することで得られる振幅に変換する振幅変換部
として機能させるためのプログラム。
【請求項１０】
コンピュータを、
所定の位相を有するパイロットシンボルを振幅偏移復調することでデータシンボルの誤り検出符号を再生する符号再生部、
前記符号再生部が再生した誤り検出符号に基づいて、前記データシンボルの誤りを検出する誤り検出部
として機能させるためのプログラム。
【発明の詳細な説明】
【技術分野】
【０００１】
本発明は、通信システム、送信装置、受信装置、通信方法、信号生成方法、信号復調方法及びプログラムに関する。
【背景技術】
【０００２】
無線により伝送する信号の変調方式の１つとして、ＱＡＭ（Ｑｕａｄｒａｔｕｒｅ  Ａｍｐｌｉｔｕｄｅ  Ｍｏｄｕｌａｔｉｏｎ：直交位相振幅変調）が知られている。ＱＡＭは、搬送波の同相（ｉｎ−ｐｈａｓｅ）成分（Ｉ成分）と直交（ｑｕａｄｒａｔｕｒｅ）成分（Ｑ成分）の振幅及び位相を変更することによってデータを伝達する変調方式である。
【０００３】
ＱＡＭは、位相に基づく変調であるため、送信装置と受信装置との間で信号の位相を同期させる必要がある。信号の位相を同期させる方法として、送信装置が既知の位相を有するパイロットシンボルを含む信号を送信し、受信装置が当該パイロットシンボルの位相を基準としてデータシンボルの復調を行う方法が知られている。
【０００４】
特許文献１には、送信バースト内のデータの一部を別のデータに書き換えることで、パイロットシンボルと同様の効果を得る技術が開示されている。
【先行技術文献】
【特許文献】
【０００５】
【特許文献１】特開２００４−２０７９９５号公報
【発明の概要】
【発明が解決しようとする課題】
【０００６】
パイロットシンボルは、信号の位相の同期に用いられるシンボルであるため、ビット列の再生には用いられない。つまり、パイロットシンボルは、ビット列の再生に直接寄与していない。
本発明の目的は、上述した課題を解決する通信システム、送信装置、受信装置、通信方法、信号生成方法、信号復調方法及びプログラムを提供することにある。
【課題を解決するための手段】
【０００７】
第１の態様は、送信装置と受信装置とを備え、前記送信装置は、直交位相振幅変調方式で送信されるデータシンボルの誤り検出符号を生成する符号生成部と、所定の位相を有するパイロットシンボルの振幅を、前記符号生成部が生成した誤り検出符号を振幅偏移変調することで得られる振幅に変換する振幅変換部と、前記データシンボル及び前記パイロットシンボルを前記受信装置に送信する送信部とを備え、前記受信装置は、前記送信装置から前記データシンボル及び前記パイロットシンボルを受信する受信部と、前記受信部が受信したパイロットシンボルを振幅偏移復調することで誤り検出符号を再生する符号再生部と、前記符号再生部が再生した誤り検出符号に基づいて、前記受信部が受信したデータシンボルの誤りを検出する誤り検出部とを備える通信システムである。
【０００８】
また、第２の態様は、直交位相振幅変調方式で送信されるデータシンボルの誤り検出符号を生成する符号生成部と、所定の位相を有するパイロットシンボルの振幅を、前記符号生成部が生成した誤り検出符号を振幅偏移変調することで得られる振幅に変換する振幅変換部とを備える送信装置である。
【０００９】
また、第３の態様は、所定の位相を有するパイロットシンボルを振幅偏移復調することでデータシンボルの誤り検出符号を再生する符号再生部と、前記符号再生部が再生した誤り検出符号に基づいて、前記データシンボルの誤りを検出する誤り検出部とを備える受信装置である。
【００１０】
また、第４の態様は、直交位相振幅変調方式で送信されるデータシンボルの誤り検出符号を生成するステップと、所定の位相を有するパイロットシンボルの振幅を、前記生成した誤り検出符号を振幅偏移変調することで得られる振幅に変換するステップと、前記データシンボル及び前記パイロットシンボルを送信するステップと前記データシンボル及び前記パイロットシンボルを受信するステップと、前記受信したパイロットシンボルを振幅偏移復調することで誤り検出符号を再生するステップと、前記再生した誤り検出符号に基づいて、前記受信したデータシンボルの誤りを検出するステップとを有する通信方法である。
【００１１】
また、第５の態様は、直交位相振幅変調方式で送信されるデータシンボルの誤り検出符号を生成するステップと、所定の位相を有するパイロットシンボルの振幅を、前記生成した誤り検出符号を振幅偏移変調することで得られる振幅に変換するステップとを有する信号生成方法である。
【００１２】
また、第６の態様は、所定の位相を有するパイロットシンボルを振幅偏移復調することでデータシンボルの誤り検出符号を再生するステップと、前記再生した誤り検出符号に基づいて、前記データシンボルの誤りを検出するステップとを有する信号復調方法である。
【００１３】
また、第７の態様は、コンピュータを、直交位相振幅変調方式で送信されるデータシンボルの誤り検出符号を生成する符号生成部、所定の位相を有するパイロットシンボルの振幅を、前記符号生成部が生成した誤り検出符号を振幅偏移変調することで得られる振幅に変換する振幅変換部として機能させるためのプログラムである。
【００１４】
また、第８の態様は、コンピュータを、所定の位相を有するパイロットシンボルを振幅偏移復調することでデータシンボルの誤り検出符号を再生する符号再生部、前記符号再生部が再生した誤り検出符号に基づいて、前記データシンボルの誤りを検出する誤り検出部として機能させるためのプログラムである。
【発明の効果】
【００１５】
上記態様のうち少なくとも１つの態様によれば、パイロットシンボルの振幅に、データシンボルの誤りを検出する誤り検出符号が重畳される。これにより、受信装置は、パイロットシンボルから誤り検出符号を再生し、データシンボルの誤りを検出することができる。つまり、上記態様のうち少なくとも１つの態様によれば、パイロットシンボルをビット列の再生に直接寄与させることができる。
【図面の簡単な説明】
【００１６】
【図１】一実施形態に係る通信システムの構成例を示す図である。
【図２】一実施形態に係る送信装置の構成を示す概略ブロック図である。
【図３】一実施形態に係るデータシンボルの誤り訂正方法を示す図である。
【図４】一実施形態に係る受信装置の構成を示す概略ブロック図である。
【図５】パイロットシンボルを変調した時のコンスタレーションの図である。
【図６】一実施形態に係る送信装置の動作を示すフローチャートである。
【図７】一実施形態に係る受信装置の動作を示すフローチャートである。
【図８】送信装置の基本構成を示す概略ブロック図である。
【図９】受信装置の基本構成を示す概略ブロック図である。
【図１０】少なくとも１つの実施形態に係るコンピュータの構成を示す概略ブロック図である。
【発明を実施するための形態】
【００１７】
以下、図面を参照しながら実施形態について詳しく説明する。
図１は、一実施形態に係る通信システムの構成例を示す図である。
本実施形態に係る通信システムは、送信装置１００と受信装置２００とを備える。送信装置１００が備えるアンテナと受信装置２００が備えるアンテナは対向しており、送信装置１００と受信装置２００とは、無線により通信する。なお、本実施形態に係る通信システムは、直交位相振幅変調方式（例えば、１６ＱＡＭ）によって無線通信を行う。
【００１８】
図２は、一実施形態に係る送信装置１００の構成を示す概略ブロック図である。
送信装置１００は、ユーザデータ取得部１０１、ＦＥＣエンコーダ１０２（Ｆｏｒｗａｒｄ  Ｅｒｒｏｒ  Ｃｏｒｒｅｃｔｉｏｎ：前方誤り訂正）、マッピング部１０３、送信側波形整形部１０４、直交変換部１０５、誤り訂正符号生成部１０６、パイロットシンボル生成部１０７、振幅変換部１０８、ゲイン調整部１０９、送信部１１０を備える。
【００１９】
ユーザデータ取得部１０１は、受信装置２００に送信すべきユーザデータを、自装置に接続されるユーザ端末から取得する。ユーザデータは、ビット列の一例である。
ＦＥＣエンコーダ１０２は、ユーザデータ取得部１０１が取得したユーザデータを解析し、ユーザデータの誤り訂正のための冗長ビットを付与する。
マッピング部１０３は、ＦＥＣエンコーダ１０２によって冗長ビットが付与されたユーザデータを、直交するＩ成分とＱ成分で表されるコンスタレーション上の信号点にマッピングする。
送信側波形整形部１０４は、マッピング部１０３によってマッピングされたＩ成分及びＱ成分の信号を、所定の周波数帯の波形に整形する。
直交変換部１０５は、波形整形部によって波形整形されたＩ成分及びＱ成分の信号を、直交位相振幅変調信号に変換する。
【００２０】
誤り訂正符号生成部１０６は、ＦＥＣエンコーダ１０２によって冗長ビットが付与されたユーザデータから、当該ユーザデータのＩ成分の値及びＱ成分の値についての誤り訂正を行う誤り訂正符号を生成する。なお、パイロットシンボルに重畳できるデータ量には限りがあるため、全てのデータシンボルについて誤り訂正符号を生成することは現実的ではない。そのため、本実施形態では、変調方式を格納するデータシンボルや、データ長情報を格納するデータシンボルなど、伝送誤りの影響度が大きいデータシンボルについて、誤り訂正符号を生成する。誤り訂正符号生成部１０６は、符号生成部の一例である。誤り訂正符号は、誤り検出符号の一例である。
パイロットシンボル生成部１０７は、予め定められた位相を有する信号であるパイロットシンボルを生成する。
【００２１】
図３は、一実施形態に係るデータシンボルの誤り訂正方法を示す図である。
振幅変換部１０８は、パイロットシンボルの振幅を、誤り訂正符号生成部１０６が生成した誤り訂正符号を振幅偏移変調（ＡＳＫ：Ａｍｐｌｉｔｕｄｅ−Ｓｈｉｆｔ  Ｋｅｙｉｎｇ）することで得られる振幅に変換する。つまり、振幅変換部１０８は、誤り訂正符号生成部１０６が生成した誤り訂正符号を振幅偏移変調によってパイロットシンボルに重畳する。なお、１つの誤り訂正符号のデータ長が１つのパイロットシンボルで伝送可能な容量を超える場合、振幅変換部１０８は、図３に示すように、１つのデータシンボルの誤りを訂正する誤り訂正符号を複数ビットに分割して複数のパイロットシンボルに重畳しても良い。つまり、振幅変換部１０８は、複数のパイロットシンボルの振幅を、それぞれ誤り訂正符号生成部１０６が生成した誤り検出符号を所定ビット数ごとに振幅偏移変調することで得られる振幅に変換しても良い。
ゲイン調整部１０９は、直交変換部１０５が生成した直交位相振幅変調信号及び振幅変換部１０８によって振幅が変換されたパイロットシンボルのゲインを調整する。
送信部１１０は、ゲイン調整部１０９によってゲインが調整された信号を受信装置２００に送信する。つまり、送信部１１０は、受信装置２００にデータシンボル及びパイロットシンボルを送信する。
【００２２】
図４は、一実施形態に係る受信装置２００の構成を示す概略ブロック図である。
受信装置２００は、受信部２０１、バンドパスフィルタ２０２、直交復調部２０３、受信側波形整形部２０４、波形等化部２０５、パイロットシンボル特定部２０６、同期信号生成部２０７、キャリア同期部２０８、誤り訂正符号再生部２０９、誤り訂正部２１０、デマッピング部２１１、ＦＥＣデコーダ２１２を備える。
【００２３】
受信部２０１は、送信装置１００から直交位相振幅変調信号を受信する。つまり、受信部２０１は、送信装置１００からデータシンボル及びパイロットシンボルを受信する。
バンドパスフィルタ２０２は、受信部２０１が受信した信号から、直交位相振幅変調信号の周波数帯以外の周波数の信号をカットする。
直交復調部２０３は、バンドパスフィルタ２０２が周波数をカットした信号に含まれるデータシンボルを、Ｉ成分とＱ成分とに分離する。
受信側波形整形部２０４は、直交復調部２０３が復調したＩ成分及びＱ成分のデータシンボルを、所定の周波数帯の波形に整形する。
波形等化部２０５は、受信側波形整形部２０４が整形した波形を等化する。
【００２４】
パイロットシンボル特定部２０６は、バンドパスフィルタ２０２が周波数をカットした信号の中から、パイロットシンボルを特定する。
同期信号生成部２０７は、パイロットシンボル特定部２０６が特定したパイロットシンボルに基づいて、パイロットシンボルの位相と同期した同期信号を生成する。
キャリア同期部２０８は、波形等化部２０５によって等化されたＩ成分及びＱ成分のデータシンボルと同期信号の周波数及び位相の偏差をゼロにする。
誤り訂正符号再生部２０９は、パイロットシンボル特定部２０６が特定したパイロットシンボルを振幅偏移復調することで誤り訂正符号を再生する。なお、１つの誤り訂正符号が複数のパイロットシンボルに分割して重畳される場合、誤り訂正符号再生部２０９は、１つの誤り訂正符号の再生に要するビット列が集まるまで、パイロットシンボルの復調によって得られるビット列を内部メモリに記録しておく。
誤り訂正部２１０は、誤り訂正符号再生部２０９が再生した誤り訂正符号に基づいて、キャリア同期部２０８によって同期されたＩ成分及びＱ成分のデータシンボルの誤りを訂正する。
デマッピング部２１１は、誤り訂正部２１０によって誤り訂正されたデータシンボルをデマッピングし、ユーザデータを再生する。
ＦＥＣデコーダ２１２は、再生されたユーザデータに含まれる冗長ビットに基づいて、前方誤り訂正を行う。ＦＥＣデコーダ２１２は、前方誤り訂正部２１０の一例である。
【００２５】
図５は、パイロットシンボルを変調した時のコンスタレーションの図である。
パイロットシンボルは、変調前には、図５の白丸に示す振幅（平均振幅）を有する。これに対し、振幅変換部１０８が誤り訂正符号に基づく振幅偏移変調をかけることで、図５の黒丸に示すように、パイロットシンボルの振幅は、平均振幅より大きい振幅または平均振幅より小さい振幅になる。これにより、受信装置２００の誤り訂正符号再生部２０９は、パイロットシンボルの振幅が平均振幅より大きい場合にＨ（Ｈｉｇｈ）値を示し、パイロットシンボルの振幅が平均振幅より小さい場合にＬ（Ｌｏｗ）値を示すと判定する。
【００２６】
次に、本実施形態に係る通信システムの動作について説明する。まず本実施形態に係る送信装置１００の動作について説明する。
図６は、一実施形態に係る送信装置１００の動作を示すフローチャートである。
ユーザデータ取得部１０１が、ユーザ端末からユーザデータを取得すると、ＦＥＣエンコーダ１０２は、ユーザデータを解析し、前方誤り訂正に用いる冗長ビットを付加する（ステップＳ１）。次に、誤り訂正符号生成部１０６は、冗長ビットが付加されたユーザデータのうち誤り訂正の対象となる部分について、Ｉ成分及びＱ成分の値の誤り訂正符号を生成する（ステップＳ２）。例えば、誤り訂正符号生成部１０６は、ユーザデータを４ビットずつに区切り、誤り訂正の対象が含まれるビット列を特定する。次に、誤り訂正符号生成部１０６は、特定したビット列をマッピングした場合におけるＩ成分及びＱ成分の値を算出し、当該Ｉ成分及びＱ成分の値それぞれについて、１ビットの誤りを検出及び訂正可能な誤り訂正符号を生成する。
【００２７】
そして、送信装置１００は、全てのユーザデータを送信し終えるまで、以下に示すステップＳ４〜Ｓ８の処理を繰り返し実行する（ステップＳ３）。まず送信装置１００は、現在の送信信号のシンボルタイミングがパイロット信号の送信タイミングであるか否かを判定する（ステップＳ４）。送信装置１００は、パイロット信号の送信タイミングでないと判定した場合（ステップＳ４：ＮＯ）、未送信のユーザデータから先頭の４ビットのビット列を抽出し、当該ビット列からデータシンボルを生成する（ステップＳ５）。具体的には、マッピング部１０３がビット列をＩ−Ｑ変換し、送信側波形整形部１０４がＩ−Ｑ成分の波形を整形し、直交変調部が整形した波形を直交位相振幅変調信号に変調することで、データシンボルが生成される。そして、送信部１１０は、生成されたデータシンボルを受信装置２００に送信する（ステップＳ６）。
【００２８】
他方、送信装置１００は、パイロット信号の送信タイミングであると判定した場合（ステップＳ４：ＹＥＳ）、パイロット生成部は、パイロットシンボルを生成する（ステップＳ７）。次に、振幅変換部１０８は、誤り訂正符号生成部１０６が生成した未送信の誤り訂正符号から先頭の１ビットを抽出し、当該ビットをパイロットシンボルに多重する（ステップＳ８）。そして、送信部１１０は、生成されたパイロットシンボルを受信装置２００に送信する（ステップＳ６）。
【００２９】
上記ステップＳ４〜ステップＳ６の処理を繰り返し実行し、全てのユーザデータを送信し終えると、送信装置１００は送信処理を終了する。
【００３０】
これにより、送信装置１００は、パイロットシンボルの振幅に、データシンボルの誤りを検出及び訂正する誤り訂正符号を重畳させる。これにより、送信装置１００は、データシンボルの再生精度を向上させることができる。また、送信装置１００は、１つのデータシンボルの誤りを検出及び訂正する誤り訂正符号を、複数のパイロットシンボルに分割して重畳させる。これにより、誤り訂正符号が時間的に分散して送信されるため、バースト誤りに対する耐性を高めることができる。
【００３１】
次に、本実施形態に係る受信装置２００の動作について説明する。
図７は、一実施形態に係る受信装置２００の動作を示すフローチャートである。
受信装置２００は、送信装置１００から信号の受信を開始すると、ユーザデータの受信完了まで、以下に示すステップＳ１２〜Ｓ２２の処理を繰り返し実行する（ステップＳ１１）。
受信部２０１は、送信装置１００からシンボルを受信する（ステップＳ１２）。受信されたシンボルは、バンドパスフィルタ２０２により所定の周波数帯以外の周波数成分がカットされる。パイロットシンボル特定部２０６は、受信したシンボルがパイロットシンボルであるか否かを判定する（ステップＳ１３）。パイロットシンボル特定部２０６は、例えばシンボルの受信回数に基づいて当該シンボルがパイロットシンボルであるか否かを判定する。
【００３２】
受信部２０１が受信したシンボルがパイロットシンボルである場合（ステップＳ１３：ＹＥＳ）、同期信号生成部２０７は、当該パイロットシンボルに位相を同期させた同期信号を生成する（ステップＳ１４）。既に同期信号が生成されている場合、パイロットシンボルの位相に基づいて同期信号の位相を修正する。また、誤り訂正符号再生部２０９は、パイロットシンボルを振幅偏移復調し、誤り訂正符号を構成するビットを取得する（ステップＳ１５）。誤り訂正符号再生部２０９は、当該ビットを内部メモリに記録する。誤り訂正符号再生部２０９は、内部メモリに、誤り訂正符号の再生に要するビットが全て記録されたか否かを判定する（ステップＳ１６）。誤り訂正符号再生部２０９が、誤り訂正符号の再生に要するビットが足りないと判定した場合（ステップＳ１６：ＮＯ）、受信装置２００は、ステップＳ１１に戻り次のシンボルの受信を待機する。
【００３３】
他方、誤り訂正符号再生部２０９は、誤り訂正符号の再生に要するビットが全て内部メモリに記録されていると判定した場合（ステップＳ１６：ＹＥＳ）、各ビットを組み合わせて誤り訂正符号を再生する（ステップＳ１７）。誤り訂正符号再生部２０９が、再生した誤り訂正符号を内部メモリに記録すると、受信装置２００は、ステップＳ１１に戻り次のシンボルの受信を待機する。
【００３４】
他方、受信部２０１が受信したシンボルがデータシンボルである場合（ステップＳ１３：ＮＯ）、受信装置２００はデータシンボルを再生する（ステップＳ１８）。具体的には、直交復調部２０３がデータシンボルをＩ成分及びＱ成分に分離し、受信側波形整形部２０４がデータシンボルの波形を整形し、波形等化部２０５がデータシンボルを等化し、キャリア同期部２０８がデータシンボルをキャリア信号に同期させることで、データシンボルが再生される。次に、誤り訂正部２１０は、再生されたデータシンボルが誤り訂正の対象であるか否かを判定する（ステップＳ１９）。再生されたデータシンボルが誤り訂正の対象であるか否かは、例えば、ユーザデータのヘッダ情報から当該データシンボルが、変調方式を格納するデータシンボルや、データ長情報を格納するデータシンボルなどの特定のデータシンボルであるか否かの判定により特定することができる。
【００３５】
誤り訂正部２１０は、再生されたデータシンボルが誤り訂正の対象であると判定した場合（ステップＳ１９：ＹＥＳ）、誤り訂正符号再生部２０９が再生した誤り訂正符号を内部メモリから読み出し、データシンボルの誤り訂正を行う（ステップＳ２０）。具体的には、誤り訂正部２１０は、データシンボルのＩ成分の値とＱ成分の値のそれぞれについて誤り訂正を行う。
【００３６】
誤り訂正部２１０が再生されたデータシンボルの誤り訂正を行った場合、または再生されたデータシンボルが誤り訂正の対象でない場合（ステップＳ１９：ＮＯ）、デマッピング部２１１は、データシンボルからユーザデータを再生する（ステップＳ２１）。そして、ＦＥＣデコーダ２１２は、デマッピング部２１１が再生したユーザデータについて、当該ユーザデータに負荷された冗長ビットに基づいて前方誤り訂正を行う（ステップＳ２２）。
【００３７】
上記ステップＳ１２〜ステップＳ２２の処理を繰り返し実行し、全てのユーザデータを受信し終えると、受信装置２００は受信処理を終了する。
【００３８】
これにより、受信装置２００は、パイロットシンボルの振幅に重畳されたデータシンボルの誤りを検出及び訂正する誤り訂正符号を用いて、データシンボルの誤りを訂正する。これにより、受信装置２００は、データシンボルの再生精度を向上させることができる。また、受信装置２００は、１つのデータシンボルの誤りを検出及び訂正する誤り訂正符号を、複数のパイロットシンボルから再生する。これにより、時間的に分散して送信された誤り訂正符号を用いて誤り訂正を行うため、バースト誤りに対する耐性を高めることができる。
【００３９】
このように、本実施形態によれば、通信システムは、パイロットシンボルに、データシンボルの誤りを検出及び訂正する誤り訂正符号を重畳させる。これにより、通信システムは、データシンボルの再生精度を向上させることができる。つまり、本実施形態に係る通信システムは、パイロットシンボルをビット列の再生に直接寄与させることができる。特に、本実施形態によれば、データシンボルは直交位相振幅変調により変調され、パイロットシンボルは振幅偏移変調により変調される。つまり、パイロットシンボルに重畳された誤り訂正符号の復号精度は、データシンボルの復号精度より高い。これにより、本実施形態によれば、通信システムは、正確性を求められるデータシンボルについて、正確に訂正を行うことができる。
【００４０】
また、本実施形態によれば、受信装置２００は、まずパイロットシンボルに重畳される誤り訂正符号を用いてデータシンボルのＩ成分及びＱ成分について誤り訂正をし、その後に誤り訂正後のデータシンボルから再生されたビット列について、さらに前方誤り訂正を行う。このように、受信装置２００は、前方誤り訂正の前処理としてＩ成分及びＱ成分について誤り訂正をすることで、前方誤り訂正の訂正精度を向上させることができる。
【００４１】
以上、図面を参照して一実施形態について詳しく説明してきたが、具体的な構成は上述のものに限られることはなく、様々な設計変更等をすることが可能である。
例えば、本実施形態に係る通信システムは、パイロットシンボルに誤り訂正符号を重畳するが、これに限られない。例えば、他の実施形態に係る通信システムは、パイロットシンボルに誤り検出符号を重畳しても良い。
【００４２】
また、本実施形態に係るパイロットシンボルに重畳される誤り訂正符号は、データシンボルのＩ成分及びＱ成分の値の誤りを検出及び訂正するものであるが、これに限られない。例えば、他の実施形態に係る誤り訂正符号は、データシンボルから再生されるビット列の誤りを検出及び訂正する物であっても良い。
【００４３】
また、本実施形態に係る送信装置１００は、ＦＥＣエンコーダ１０２が出力したユーザデータに基づいて誤り訂正符号を生成するが、これに限られない。例えば、他の実施形態では、送信装置１００は、マッピング部１０３によってＩ成分及びＱ成分にマッピングされた値に基づいて誤り訂正符号を生成しても良い。
【００４４】
《基本構成》
図８は、送信装置１００の基本構成を示す概略ブロック図である。
上述した実施形態では、送信装置１００の一実施形態として図２に示す構成について説明したが、送信装置１００の基本構成は、図８に示すとおりである。
すなわち、送信装置１００は、符号生成部１１１及び振幅変換部１０８を基本構成とする。
【００４５】
符号生成部１１１は、直交位相振幅変調方式で送信されるデータシンボルの誤り検出符号を生成する。上述した実施形態の誤り訂正符号生成部１０６は、符号生成部１１１の一例である。
振幅変換部１０８は、所定の位相を有するパイロットシンボルの振幅を、符号生成部１１１が生成した誤り検出符号を振幅偏移変調することで得られる振幅に変換する。
これにより、送信装置１００は、パイロットシンボルをビット列の再生に直接寄与させることができる。
【００４６】
図９は、受信装置２００の基本構成を示す概略ブロック図である。
上述した実施形態では、受信装置２００の一実施形態として図４に示す構成について説明したが、受信装置２００の基本構成は、図９に示すとおりである。
すなわち、受信装置２００は、符号再生部２１３及び誤り検出部２１４を基本構成とする。
【００４７】
符号再生部２１３は、所定の位相を有するパイロットシンボルを振幅偏移復調することでデータシンボルの誤り検出符号を再生する。上述した実施形態の誤り訂正符号再生部２０９は、符号再生部２１３の一例である。
誤り検出部２１４は、符号再生部２１３が再生した誤り検出符号に基づいて、データシンボルの誤りを検出する。上述した実施形態の誤り訂正部２１０は、誤り検出部２１４の一例である。
これにより、受信装置２００は、パイロットシンボルをビット列の再生に直接寄与させることができる。
【００４８】
図１０は、少なくとも１つの実施形態に係るコンピュータ９００の構成を示す概略ブロック図である。
コンピュータ９００は、ＣＰＵ９０１、主記憶装置９０２、補助記憶装置９０３、インタフェース９０４を備える。
上述の送信装置１００及び受信装置２００は、それぞれコンピュータ９００に実装される。そして、上述した各処理部の動作は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。
【００４９】
なお、少なくとも１つの実施形態において、補助記憶装置９０３は、一時的でない有形の媒体の一例である。一時的でない有形の媒体の他の例としては、インタフェース９０４を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ９００に配信される場合、配信を受けたコンピュータ９００が当該プログラムを主記憶装置９０２に展開し、上記処理を実行しても良い。
【００５０】
また、当該プログラムは、前述した機能の一部を実現するためのものであっても良い。さらに、当該プログラムは、前述した機能を補助記憶装置９０３に既に記憶されている他のプログラムとの組み合わせで実現するもの、いわゆる差分ファイル（差分プログラム）であっても良い。
【００５１】
上記の実施形態の一部又は全部は、以下の付記のようにも記載されうるが、以下には限られない。
【００５２】
（付記１）
送信装置と受信装置とを備え、
前記送信装置は、
直交位相振幅変調方式で送信されるデータシンボルの誤り検出符号を生成する符号生成部と、
所定の位相を有するパイロットシンボルの振幅を、前記符号生成部が生成した誤り検出符号を振幅偏移変調することで得られる振幅に変換する振幅変換部と、
前記データシンボル及び前記パイロットシンボルを前記受信装置に送信する送信部と
を備え、
前記受信装置は、
前記送信装置から前記データシンボル及び前記パイロットシンボルを受信する受信部と、
前記受信部が受信したパイロットシンボルを振幅偏移復調することで誤り検出符号を再生する符号再生部と、
前記符号再生部が再生した誤り検出符号に基づいて、前記受信部が受信したデータシンボルの誤りを検出する誤り検出部と
を備える通信システム。
【００５３】
（付記２）
直交位相振幅変調方式で送信されるデータシンボルの誤り検出符号を生成する符号生成部と、
所定の位相を有するパイロットシンボルの振幅を、前記符号生成部が生成した誤り検出符号を振幅偏移変調することで得られる振幅に変換する振幅変換部と
を備える送信装置。
【００５４】
（付記３）
前記振幅変換部は、複数のパイロットシンボルの振幅を、それぞれ前記符号生成部が生成した誤り検出符号を所定ビット数ごとに振幅偏移変調することで得られる振幅に変換する
付記２に記載の送信装置。
【００５５】
（付記４）
前記符号生成部は、前記データシンボルの同相成分の値及び直交成分の値についての誤り検出符号を生成する
付記２または付記３に記載の送信装置。
【００５６】
（付記５）
所定の位相を有するパイロットシンボルを振幅偏移復調することでデータシンボルの誤り検出符号を再生する符号再生部と、
前記符号再生部が再生した誤り検出符号に基づいて、前記データシンボルの誤りを検出する誤り検出部と
を備える受信装置。
【００５７】
（付記６）
前記符号再生部は、複数のパイロットシンボルを振幅偏移復調して得られたデータ列から、前記データシンボルの誤り検出符号を再生する
付記５に記載の受信装置。
【００５８】
（付記７）
前記データシンボルをデマッピングして得られるビット列の誤りを訂正する前方誤り訂正部をさらに備え、
前記符号再生部は、前記パイロットシンボルを振幅偏移復調することで前記データシンボルの誤り訂正符号を再生し、
前記誤り検出部は、前記誤り訂正符号に基づいて、前記データシンボルの誤りを訂正し、
前記前方誤り訂正部は、前記誤り検出部が誤りを訂正した前記データシンボルをデマッピングして得られるビット列の誤りを訂正する
付記５または付記６に記載の受信装置。
【００５９】
（付記８）
直交位相振幅変調方式で送信されるデータシンボルの誤り検出符号を生成するステップと、
所定の位相を有するパイロットシンボルの振幅を、前記生成した誤り検出符号を振幅偏移変調することで得られる振幅に変換するステップと、
前記データシンボル及び前記パイロットシンボルを送信するステップと
前記データシンボル及び前記パイロットシンボルを受信するステップと、
前記受信したパイロットシンボルを振幅偏移復調することで誤り検出符号を再生するステップと、
前記再生した誤り検出符号に基づいて、前記受信したデータシンボルの誤りを検出するステップと
を有する通信方法。
【００６０】
（付記９）
直交位相振幅変調方式で送信されるデータシンボルの誤り検出符号を生成するステップと、
所定の位相を有するパイロットシンボルの振幅を、前記生成した誤り検出符号を振幅偏移変調することで得られる振幅に変換するステップと
を有する信号生成方法。
【００６１】
（付記１０）
所定の位相を有するパイロットシンボルを振幅偏移復調することでデータシンボルの誤り検出符号を再生するステップと、
前記再生した誤り検出符号に基づいて、前記データシンボルの誤りを検出するステップと
を有する信号復調方法。
【００６２】
（付記１１）
コンピュータを、
直交位相振幅変調方式で送信されるデータシンボルの誤り検出符号を生成する符号生成部、
所定の位相を有するパイロットシンボルの振幅を、前記符号生成部が生成した誤り検出符号を振幅偏移変調することで得られる振幅に変換する振幅変換部
として機能させるためのプログラム。
【００６３】
（付記１２）
コンピュータを、
所定の位相を有するパイロットシンボルを振幅偏移復調することでデータシンボルの誤り検出符号を再生する符号再生部、
前記符号再生部が再生した誤り検出符号に基づいて、前記データシンボルの誤りを検出する誤り検出部
として機能させるためのプログラム。
【符号の説明】
【００６４】
１００…送信装置  １０１…ユーザデータ取得部  １０２…ＦＥＣエンコーダ  １０３…マッピング部  １０４…送信側波形整形部  １０５…直交変換部  １０６…誤り訂正符号生成部  １０７…パイロットシンボル生成部  １０８…振幅変換部  １０９…ゲイン調整部  １１０…送信部  ２００…受信装置  ２０１…受信部  ２０２…バンドパスフィルタ  ２０３…直交復調部  ２０４…受信側波形整形部  ２０５…波形等化部  ２０６…パイロットシンボル特定部  ２０７…同期信号生成部  ２０８…キャリア同期部  ２０９…誤り訂正符号再生部  ２１０…誤り訂正部  ２１１…デマッピング部  ２１２…ＦＥＣデコーダ  ９００…コンピュータ  ９０１…ＣＰＵ  ９０２…主記憶装置  ９０３…補助記憶装置  ９０４…インタフェース
【図１】
2016015625.tif 000003
【図２】
2016015625.tif 000004
【図３】
2016015625.tif 000005
【図４】
2016015625.tif 000006
【図５】
2016015625.tif 000007
【図６】
2016015625.tif 000008
【図７】
2016015625.tif 000009
【図８】
2016015625.tif 000010
【図９】
2016015625.tif 000011
【図１０】
2016015625.tif 000012